(57)【要約】【課題】十分に清浄化された空気を室内へと送ることができる空気調和機の給気ユニットを提供する。【解決手段】空気調和機１の浄化給気ユニット４は、吸着ロータ４１とラジアルファン組立体４３とを備える。吸着ロータ４１は、室外から取り込まれた空気に含まれる不要ガス成分を吸着させるためのものである。ラジアルファン組立体４３は、室外から取り込まれた空気を吸着ロータ４１に通して室内へと送る。【選択図】　　　　図２
2004125274.tif 000002
【特許請求の範囲】
【請求項１】
室外から取り込まれた空気に含まれる不要ガス成分を吸着させるための不要ガス成分吸着部材（４１）と、
室外から取り込まれた空気を前記不要ガス成分吸着部材（４１）に通して室内へと送る送風装置（４３）と、
を備える空気調和機（１）の給気ユニット（４）。
【請求項２】
前記不要ガス成分吸着部材（４１）は、加熱されることにより吸着した不要ガス成分を離脱する性質を有し、
前記不要ガス成分吸着部材（４１）を加熱する加熱部（４２）をさらに備える、
請求項１に記載の空気調和機（１）の給気ユニット（４）。
【請求項３】
室外から取り込まれ室内へと送られる空気が通る給気経路（Ｒ１）と、
室外から取り込まれ再び室外へと排出される空気が通る排気経路（Ｒ２）と、前記不要ガス成分吸着部材（４１）の各部分が前記給気経路と前記排気経路とを行き来するように前記不要ガス成分吸着部材（４１）を回転させる駆動部（４７）と、
をさらに備える、
請求項２に記載の空気調和機（１）の給気ユニット（４）。
【請求項４】
前記不要ガス成分吸着部材（４１）は、不要ガス成分を分解する触媒を有する、
請求項１から３のいずれかに記載の空気調和機（１）の給気ユニット（４）。
【請求項５】
室外から取り込まれた空気から塵埃を取り除く集塵フィルタ（４５）と、
前記集塵フィルタ（４５）を振動させる加振部（１０３）と、
をさらに備える、
請求項１から４のいずれかに記載の空気調和機（１）の給気ユニット（４）。
【請求項６】
前記加振部は、超音波振動を発振する超音波振動子（１０３）である、
請求項５に記載の空気調和機（１）の給気ユニット（４）。
【請求項７】
前記不要ガス成分吸着部材（４１）は、疎水性ゼオライトを有する、
請求項１から６のいずれかに記載の空気調和機（１）の給気ユニット（４）。
【請求項８】
前記不要ガス成分吸着部材（４１）は、活性炭を有する、
請求項１から６のいずれかに記載の空気調和機（１）の給気ユニット（４）。
【請求項９】
室内の冷暖房を行うための室外空調ユニット（５）と、
請求項１から８のいずれかに記載の給気ユニット（４）と、
を備える空気調和機（１）の室外機（３）。
【請求項１０】
室外熱交換器（２４）と、前記室外熱交換器（２４）に空気を通す室外送風装置（２９）と、前記室外送風装置（２９）によって生成される空気流が通る室外機空気経路（Ｒ３）とを有する室外空調ユニット（５）と、
室外から取り込まれ室内へと送られる空気が通る給気経路（Ｒ１）を有する請求項１から８のいずれかに記載の給気ユニット（４）と、
を備え、
前記室外機空気経路（Ｒ３）と給気経路（Ｒ１）とは別に設けられている、
空気調和機（１）の室外機（３）。
【発明の詳細な説明】
【０００１】
【発明の属する技術分野】
本発明は、空気調和機の給気ユニット及び空気調和機の室外機に関する。
【０００２】
【従来の技術】
従来、空気調和機に備えられ室内の空気に加湿や除湿等を行い室内へと再び送る加湿ユニット等が利用されている。例えば、室外の空気から取り込んだ水分により室内の空気を加湿して再び室内へと送ることができる加湿ユニットや、室内空気を除湿して室内へと送ることができる除湿ユニット等である。そして、このような加湿ユニット等には、加湿や除湿等に加えて室内へと送られる空気の清浄化を行うことができるものがある（例えば、特許文献１参照。）。この加湿ユニットは、吸着した水分を離脱する加湿ロータと共に臭気成分等を分解することができる触媒を備える。この加湿ユニットは、室外空気から水分を吸着した加湿ロータに室内空気を通して加湿すると共に、空気に含まれる臭気成分等を触媒により分解することができる。このため、この加湿ユニットは、加湿されると共に清浄化された空気を室内へと送ることができる。
【０００３】
【特許文献１】
特許第３１２０９６４号公報
【０００４】
【発明が解決しようとする課題】
しかし、上記のように空気の加湿等を行うと共に空気の清浄化を行う加湿ユニット等では、空気の清浄化を十分に行うことができない恐れがある。すなわち、上記の加湿ユニットでは、あくまでも加湿に主眼が置かれており、空気の清浄化は付加的なものに過ぎない。このため、臭気成分や有害成分を除去する能力が十分に担保されていない場合がある。
【０００５】
一方、空気調和機の給気ユニットの使用者によっては、加湿機能よりも清浄化機能を強く望む場合がある。すなわち、近年の自動車の台数の増加や工業化の進歩等により、大気の汚染が問題となっている。例えば、自動車の排気ガスにはＮＯｘやＳＯｘ等の有害化学物質が多く含まれている。また、工場等からの排気により空気中に悪臭の原因となる臭気成分が多く含まれている場合もある。空気中にこのような有害化学物質や臭気成分等の不要ガス成分が多く含まれる場合には、加湿に主眼が置かれた加湿ユニットでは、有害物質を空気中から十分に除去することができない恐れがある。この場合、室内に残存している不要ガス成分が、人体に影響を与える恐れがある。
【０００６】
本発明の課題は、十分に清浄化された空気を室内へと送ることができる空気調和機の給気ユニットを提供することにある。
【０００７】
【課題を解決するための手段】
請求項１に記載の空気調和機の給気ユニットは、不要ガス成分吸着部材と送風装置とを備える。不要ガス成分吸着部材は、室外から取り込まれた空気に含まれる不要ガス成分を吸着させるためのものである。送風装置は、室外から取り込まれた空気を不要ガス成分吸着部材に通して室内へと送る。
【０００８】
この空気調和機の給気ユニットは、室外から取り込まれた空気に含まれる不要ガス成分を吸着させるための不要ガス成分吸着部材を備えており、室内へと送られる空気は、この不要ガス成分吸着部材に通される。このため、例えば、空気の加湿を行うために加湿ロータに不要ガス成分を分解する触媒を担持させる場合よりも、より多くの不要ガス成分を室内へと送られる空気から除去することができる。これにより、この空気調和機の給気ユニットでは、十分に清浄化された空気を室内へと送ることができる。
【０００９】
請求項２に記載の空気調和機の給気ユニットは、請求項１に記載の空気調和機の給気ユニットであって、不要ガス成分吸着部材は、加熱されることにより吸着した不要ガス成分を離脱する性質を有し、加熱部をさらに備える。加熱部は、不要ガス成分吸着部材を加熱する。
この空気調和機の給気ユニットでは、加熱部が不要ガス成分吸着部材を加熱することにより、不要ガス成分吸着部材は、吸着した不要ガス成分を離脱する。このため、不要ガス成分吸着部材を加熱することにより自動的に不要ガス成分吸着部材から不要ガス成分を取り除くことができる。これにより、この空気調和機の給気ユニットでは、不要ガス成分吸着部材の取り換えや洗浄等のメンテナンスの労力を軽減することができる。
【００１０】
請求項３に記載の空気調和機の給気ユニットは、請求項２に記載の空気調和機の給気ユニットであって、給気経路と排気経路と駆動部とをさらに備える。給気経路は、室外から取り込まれ室内へと送られる空気が通る。排気経路は、室外から取り込まれ再び室外へと排出される空気が通る。駆動部は、不要ガス成分吸着部材の各部分が給気経路と排気経路とを行き来するように不要ガス成分吸着部材を回転させる。
【００１１】
この空気調和機の給気ユニットでは、不要ガス成分吸着部材の各部分が給気経路と排気経路とを行き来するように不要ガス成分吸着部材が回転することができる。このため、この空気調和機の給気ユニットは、不要ガス成分吸着部材のうち給気経路中にある部分によって空気中の不要ガス成分を吸着させると共に不要ガス成分吸着部材のうち排気経路中にある部分によって吸着した不要ガス成分を離脱させることができる。そして、不要ガス成分吸着部材が回転することにより、排気経路中にあった部分と給気経路中にあった部分とが入れ替わることができる。排気経路中にあった部分と給気経路中にあった部分とが入れ替わると、新たに給気経路中に来た部分に不要ガス成分が吸着され、新たに排気経路中に来た部分から不要ガス成分が離脱される。このように、この空気調和機の給気ユニットでは、不要ガス成分吸着部材を回転させることにより、不要ガス成分の吸着と離脱とを行うことができる。これにより、この空気調和機の給気ユニットでは、不要ガス成分吸着部材の取り換えや洗浄などのメンテナンスの労力を軽減することができる。
【００１２】
請求項４に記載の空気調和機の給気ユニットは、請求項１から３のいずれかに記載の空気調和機の給気ユニットであって、不要ガス成分吸着部材は、不要ガス成分を分解する触媒を有する。
この空気調和機の給気ユニットでは、不要ガス成分吸着部材は、不要ガス成分を分解する触媒を有する。このため、不要ガス成分吸着部材に吸着された不要ガス成分を触媒により分解することができる。これにより、この空気調和機の給気ユニットでは、離脱される不要ガス成分の有害性を低減することができる。
【００１３】
請求項５に記載の空気調和機の給気ユニットは、請求項１から４のいずれかに記載の空気調和機の給気ユニットであって、集塵フィルタと加振部とをさらに備える。集塵フィルタは、室外から取り込まれた空気から塵埃を取り除く。加振部は、集塵フィルタを振動させる。
この空気調和機の給気ユニットでは、集塵フィルタにより室内へと送られる空気から塵埃を取り除いて空気の清浄度をより向上させることができる。そして、加振部により集塵フィルタを振動させることにより、集塵フィルタに付着した塵を振るい落とすことができる。これにより、この空気調和機の給気ユニットでは、集塵フィルタのメンテナンスの労力を低減することができる。
【００１４】
請求項６に記載の空気調和機の給気ユニットは、請求項５に記載の空気調和機の給気ユニットであって、加振部は、超音波振動を発振する超音波振動子である。
この空気調和機の給気ユニットでは、超音波振動子により集塵フィルタに超音波振動を加えることができる。このため、この空気調和機の給気ユニットでは、集塵フィルタに付着した塵埃を振るい落とす能力をより向上させることができる。
【００１５】
請求項７に記載の空気調和機の給気ユニットは、請求項１から６のいずれかに記載の空気調和機の給気ユニットであって、不要ガス成分吸着部材は、疎水性ゼオライトを有する。
この空気調和機の給気ユニットでは、疎水性ゼオライトにより不要ガス成分を吸着させることができる。疎水性ゼオライトは、水となじみにくい性質を有するため、空気中に含まれる水分よりも不要ガス成分を優先的に吸着することができる。このため、この空気調和機の給気ユニットでは、より多くの不要ガス成分を空気から除去することができる。これにより、この空気調和機の給気ユニットでは、空気の清浄化をより十分に行うことができる。
【００１６】
請求項８に記載の空気調和機の給気ユニットは、請求項１から６のいずれかに記載の空気調和機の給気ユニットであって、不要ガス成分吸着部材は、活性炭を有する。
この空気調和機の給気ユニットでは、活性炭により不要ガス成分を吸着させることができる。活性炭は、優れた吸着能を有しており、より多くの不要ガス成分を空気から除去することができる。これにより、この空気調和機の給気ユニットでは、空気の清浄化をより十分に行うことができる。
【００１７】
請求項９に記載の空気調和機の室外機は、室内の冷暖房を行うための室外空調ユニットと、請求項１から８のいずれかに記載の給気ユニットとを備える。
この空気調和機の室外機では、室内の冷暖房を行うための室外空調ユニットと、給気ユニットとを備える。このため、冷暖房を行うための室外空調ユニットにより室内の冷暖房を行うと共に、給気ユニットにより十分に清浄化された空気を室内へと送ることもできる。また、給気ユニットが室外機に設けられるため、室内に配置される空気調和機の室内機を小型化することができる。
【００１８】
請求項１０に記載の空気調和機の室外機は、室外空調ユニットと給気ユニットとを備える。室外空調ユニットは、室外熱交換器と、室外熱交換器に空気を通す室外送風装置と、室外送風装置によって生成される空気流が通る室外機空気経路とを有する。給気ユニットは、室外から取り込まれ室内へと送られる空気が通る給気経路を有する請求項１から８のいずれかに記載の給気ユニットである。そして、室外機空気経路と給気経路とは別に設けられている。
【００１９】
この空気調和機の室外機では、室外機空気経路と給気経路とは別に設けられている。このため、室外熱交換器を通る空気流とは別に室外の空気を取り込んで室内へと送ることができる。
【００２０】
【発明の実施の形態】
＜空気調和機の概略構成＞
本発明の一実施形態に係る空気調和機１の外観を図１に示す。
この空気調和機１は、室内の壁面などに取り付けられる室内機２と、室外に設置される室外機３とに分かれて構成されている。
【００２１】
室外機３は、それぞれ別ユニット化された室外空調ユニット５と浄化給気ユニット４とを備えている。室外空調ユニット５は、室外熱交換器やプロペラファンなどを収納し室内の冷暖房を行う。浄化給気ユニット４は、室外から取り込まれた空気から不要ガス成分を除去し清浄化して室内へと送る。なお、不要ガス成分とは、例えば、自動車の排気ガスに含まれるＮＯｘ、ＳＯｘ等の有害化学物質や悪臭の原因となる臭気成分などをいう。
【００２２】
室内機２には室内熱交換器が収納され、室外機３内には室外熱交換器が収納されている。そして、各熱交換器およびこれらの熱交換器を接続する冷媒配管３１，３２が、冷媒回路を構成している。また、室外機３と室内機２との間には、浄化給気ユニット４からの清浄化された浄化空気を室内機２側に供給するときや室内の空気を室外に排出するときに用いられる給排気ホース６が設けられている。
【００２３】
＜冷媒回路の全体構成＞
図２は、空気調和機１で用いられる冷媒回路の構成図に空気の流れの概略を付加したものである。
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００２４】
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００２５】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気ホース６とともに集合連絡管７を形成する。
【００２６】
また、室外空調ユニット５内には、室外熱交換器２４での熱交換後の空気を外部に排出するためのプロペラファン２９が設けられている。このプロペラファン２９は、室外ファンモータ３０によって回転駆動される。
＜室外機の構成＞
室外機３は、図１に示すように、下部の室外空調ユニット５および上部の浄化給気ユニット４が一体となって構成されている。
【００２７】
〔室外空調ユニットに係る構成〕
室外空調ユニット５は、主として、室外空調ユニットケーシングと、室外空調ユニットケーシングの内部に収容される冷媒回路構成部品とにより構成されている。
室外空調ユニットケーシングは、図１に示すように、主として前面パネル５１と側板５２，５３とにより構成されている。前面パネル５１は、室外空調ユニット５の前面を覆う樹脂製の部材である。前面パネル５１には、複数のスリット状の開口からなる室外空調ユニット吹出口５１ａが設けられており、室外熱交換器２４（図２参照）を通った空気は、室外空調ユニット５の内部からこの室外空調ユニット吹出口５１ａを通って室外機３の外部へと吹き出す。
【００２８】
側板５２，５３には右側板５２および左側板５３があり、これらは室外空調ユニット５の側方を覆う金属製の部材である。ここでは、室外機３の正面視において右側に右側板５２、左側に左側板５３が設けられている。右側板５２には、液閉鎖弁２７およびガス閉鎖弁２８（図２参照）を保護するための閉鎖弁カバー５５が取り付けられる。また、室外空調ユニット５の背面には、図示しない保護金網が設けられている。
【００２９】
冷媒回路構成部品には、上述した、室外熱交換器２４、圧縮機２１、アキュムレータ２３、四路切換弁２２、電動弁２５等がある。室外熱交換器２４の前方には、室外ファンモータ３０とプロペラファン２９とが設けられている。プロペラファン２９は、室外空調ユニット５内に取り入れた空気を室外熱交換器２４に通して接触させる。プロペラファン２９によって生成される空気流は、室外熱交換器２４とプロペラファン２９との間を通る室外機空気経路Ｒ３を通り、室外空調ユニット吹出口５１ａから前面パネル５１の前方に排気される（図２参照）。
【００３０】
〔浄化給気ユニットに係る構成〕
浄化給気ユニット４は、室外から取り込まれた空気を清浄化して室内へと供給する浄化給気運転と、室内から取り込まれた空気を室外へと排出させる排気運転とを行うことができる。この浄化給気ユニット４は、空気の清浄化に特化したユニットであり、空気を清浄化する能力が特に高くなっている。
【００３１】
浄化給気ユニット４は、図１及び図２に示すように、浄化給気ユニットケーシング４０と、浄化給気ユニットケーシング４０内に収容される、吸着ロータ４１、ヒータ組立体４２、ラジアルファン組立体４３、切換ダンパ４４及び不要ガス成分排出用ファン４６とを備えている。
（浄化給気ユニットケーシング）
浄化給気ユニットケーシング４０は、浄化給気ユニット４の前方、後方および両側方を覆っており、室外空調ユニット５の上部に接するように配置される。
【００３２】
浄化給気ユニットケーシング４０の内部の空間は、室外から取り込まれ室内機２へと送られる空気が通る空間と、室外から取り込まれ不要ガス成分と共に再び室外へと排出される空気が通る空間とに分けられている。室外から取り込まれ室内機２へと送られる空気が通る空間は、浄化給気ユニットケーシング４０の正面視における右側に位置しており、室外から取り込まれ不要ガス成分と共に再び室外へと排出される空気が通る空間は、左側に位置している。浄化給気ユニットケーシング４０の背面には、複数のスリット状の開口からなる給排気口４０ｃ及び空気取込み口４０ｂが左右方向に並んで設けられており、浄化給気ユニットケーシング４０の前面の左側には、空気吹出し口４０ａが設けられている。
【００３３】
給排気口４０ｃは、室内機２へと送られるために取り込まれる空気が通る、または、室内機２から取り込まれて室外へと排気される空気が通る開口である。給排気口４０ｃには、通過する空気から塵や埃等を取り除く集塵フィルタ４５が取り付けられている。また、図３に示すように、集塵フィルタ４５に近傍には、超音波振動子１０３が集塵フィルタ４５から離れて配置されている。超音波振動子１０３は、集塵フィルタ４５に超音波を照射することにより、集塵フィルタ４５を超音波振動させる。集塵フィルタ４５に超音波振動が加えられると、集塵フィルタ４５に付着している塵や埃等が振るい落とされ、集塵フィルタ４５が洗浄される。
【００３４】
空気取込み口４０ｂは、吸着ロータ４１に吸着された不要ガス成分を離脱させる空気が浄化給気ユニットケーシング４０内に取り込まれる際に通る開口である。
空気吹出し口４０ａは、吸着ロータ４１から離脱し無害化された不要ガス成分が浄化給気ユニットケーシング４０内から排出される際に通る開口である。
【００３５】
なお、浄化給気ユニットケーシング４０の上部は、天板４９により覆われている。
（吸着ロータ）
吸着ロータ４１は、概ね円板形状を有するハニカム構造のセラミックロータであり、室外から取り込まれた空気に含まれる不要ガス成分を吸着させるためのものである。吸着ロータ４１は、水平面で切った断面において細かいハニカム（蜂の巣）状になっており、空気が容易に通過できる構造となっている。そして、これらの断面が多角形である吸着ロータ４１の多数の筒部分を、空気が通過する。
【００３６】
吸着ロータ４１の主たる部分は、疎水性ゼオライトから焼成されている。このため、この吸着ロータ４１は、ＮＯｘ、ＳＯｘ等の有害化学物質や臭気成分等を特によく吸着することができる。そして、この疎水性ゼオライトは、接触する空気に含まれる不要ガス成分を吸着し、加熱されることによって吸着した不要ガス成分を離脱する性質を有している。また、吸着ロータ４１には、熱触媒が担持されている。この熱触媒は、加熱されることにより、ＮＯｘ、ＳＯｘ等の有害化学物質や臭気成分等を分解する。
【００３７】
吸着ロータ４１は、浄化給気ユニットケーシング４０内で回動可能に支持されている。吸着ロータ４１は、図４に示すように、右半分の部分が給排気経路Ｒ１中に、左半分の部分が不要ガス成分排出経路Ｒ２中に位置するように配置されている。給排気経路Ｒ１は、室外から取り込まれ吸着ロータにより含有する不要ガス成分を吸着され室内へと送られる空気が通る経路であり、不要ガス成分排出経路Ｒ２は、室外から取り込まれ再び室外へと排出される空気が通る経路である。吸着ロータ４１は、吸着ロータ４１の各部分が給排気経路Ｒ１と不要ガス成分排出経路Ｒ２とを行き来するように、ロータ駆動モータ４７（図５参照）により回転駆動される。
【００３８】
なお、給排気経路Ｒ１と不要ガス成分排出経路Ｒ２とは、図２に示す室外機空気経路Ｒ３とは別の経路となっている。
（ラジアルファン組立体）
ラジアルファン組立体４３は、吸着ロータ４１の側方に配置されている。ラジアルファン組立体４３は、給排気口４０ｃから吸着ロータ４１および切換ダンパ４４を経て室内機２へと到る空気の流れを生成して、室外から取り入れた空気を吸着ロータ４１に通して室内へと送る。また、ラジアルファン組立体４３は、室内機２から取り入れた空気を給排気口４０ｃから室外へと排出することもできる。ラジアルファン組立体４３は、切換ダンパ４４が切り換わることにより、これらの動作を切り換える。
【００３９】
ラジアルファン組立体４３は、室外から取り入れた空気を室内機２へと送る場合には、吸着ロータ４１の右側の略半分を通過した空気を、切換ダンパ４４及び給排気ホース６を介して空気を室内機２へと供給する。
ラジアルファン組立体４３は、室内機２から取り入れた室内の空気を室外へと排出する場合には、給排気ホース６を通って送られてきた空気を浄化給気ユニットケーシング４０の背面に設けられた給排気口４０ｃから室外へと排出する。
【００４０】
（切換ダンパ）
切換ダンパ４４は、ラジアルファン組立体４３と共に配置される回転式の空気流路切換手段であり、第１状態、第２状態及び第３状態に切り替わる。
第１状態においては、ラジアルファン組立体４３から吹き出された空気は、給排気ホース６を通って室内機２へと供給されるようになる。これにより、第１状態では、図２の実線矢印Ａ１で示す矢印の向きに空気が流れ、浄化空気が給排気ホース６を通って室内機２へと供給されるようになる。
【００４１】
第２状態では、図２の破線矢印Ａ２で示す矢印の向きに空気が流れ、室内機２から給排気ホース６を通ってきた空気が、ラジアルファン組立体４３から給排気口４０ｃを経て室外へと排出される。
第３状態では、切換ダンパ４４と給排気ホース６とを繋ぐ経路が閉じられ、室外機３と室内機２との間の空気の流れが遮断される。
【００４２】
（ヒータ組立体）
ヒータ組立体４２は、空気取込み口４０ｂから取り込まれて吸着ロータ４１へ送られる室外の空気を加熱する。この加熱された空気が吸着ロータ４１を通ることにより、吸着ロータ４１が加熱される。ヒータ組立体４２は、吸着ロータ４１の上面の略半分（左側の半分）を覆うように配置されている。
【００４３】
（不要ガス成分排出用ファン）
不要ガス成分排出用ファン４６は、不要ガス成分排出用ファンモータ４８によって回転する遠心ファンであり、空気取込み口４０ｂからヒータ組立体４２及び吸着ロータ４１を介して空気吹出し口４０ａへと流れる気流を生成する（図２の矢印Ａ３参照）。不要ガス成分排出用ファン４６は、空気取込み口４０ｂから室外の空気を浄化給気ユニットケーシング４０内に取り込む。浄化給気ユニットケーシング４０内に取り込まれた空気は、ヒータ組立体４２により加熱された後に吸着ロータ４１を通る。このため、吸着ロータ４１は、吸着している不要ガス成分を空気中へと離脱する。また、このとき離脱される不要ガス成分は、吸着ロータ４１に担持されている熱触媒により分解され無害化される。無害化された不要ガス成分を含む空気は、空気吹出し口４０ａから浄化給気ユニットケーシング４０の前方へ向けて排出される。
【００４４】
（制御部）
図５に示す制御部１００は、空気調和機１の室内機２、室外空調ユニット５、および浄化給気ユニット４に配置される電装品箱などに分かれて存在している。この制御部１００は、室外温度を検出する室外温度サーミスタ１０１、室内機２や室外機３のその他の各機器と接続されており、リモコン１０２等からの運転指令に基づいて暖房運転、冷房運転、浄化給気運転、排気運転などの各運転モードに応じて各機器の運転制御を行う。また、制御部１００は、集塵フィルタ４５を振動させる超音波振動子１０３と接続されており、制御部１００の判断により自動的に、又はリモコン１０２からの指令により集塵フィルタ４５に振動を加えさせて集塵フィルタ４５の洗浄を行わせる。
【００４５】
＜浄化給気ユニットの動作＞
本実施形態にかかる空気調和機１における浄化給気ユニット４の動作を図１及び図２に基づいて説明する。
〔浄化給気運転時の動作〕
本実施形態にかかる空気調和機１において浄化給気運転を行うときには、切換ダンパ４４が第１状態に切り換えられる。
【００４６】
ラジアルファン組立体４３が駆動されると、給排気口４０ｃから浄化給気ユニットケーシング４０内に室外の空気が取り込まれる。このとき、取り込まれた室外の空気に含有される塵や埃等は、集塵フィルタ４５により除去される。そして、浄化給気ユニットケーシング４０内に取り込まれた空気は、図４（ａ）に示すように吸着ロータ４１の右側の略半分の部分を通過し、図２に示す切換ダンパ４４の内部を通ってラジアルファン組立体４３へと至る。このような空気流は、ラジアルファン組立体４３が生成するものである。室外から取り込まれた空気に含まれる不要ガス成分は、吸着ロータ４１の右側の略半分の部分を通過する際に吸着されて空気から取り除かれる。ラジアルファン組立体４３は、上記のように吸着ロータ４１および切換ダンパ４４を通り抜けてきた空気を、再び切換ダンパ４４を通して給排気ホース６へと送る。そして、この空気は、給排気ホース６を介して室内機２へと送られ、室内熱交換器１１を経て室内に吹き出される。
【００４７】
このように、室外から取り込まれた空気は、給排気口４０ｃ、吸着ロータ４１、ヒータ組立体４２、ラジアルファン組立体４３及び切換ダンパ４４を通る給排気経路Ｒ１により室内機２へと導かれる。そして、塵埃や不要ガス成分等が除去された清浄な空気が室内へと吹き出される。
吸着ロータ４１の右側の略半分の部分は、吸着ロータ４１が回転することによって、吸着ロータ４１の左側の略半分の部分となる。すなわち、図４（ａ）及び図４（ｂ）に示すように、給排気経路Ｒ１中に位置していた吸着ロータ４１の部分（図４（ａ）のハッチングを施した部分）が、吸着ロータ４１が回転することによって、不要ガス成分排出経路Ｒ２中に移動することになる。吸着ロータ４１に吸着された不要ガス成分は、吸着ロータ４１の回転に伴い、ヒータ組立体４２の下方に位置する吸着ロータ４１の左側の部分に移動してくる。浄化給気ユニット４は、不要ガス成分排出用ファン４６を回転駆動することによって、室外からの空気を空気取込み口４０ｂから浄化給気ユニットケーシング４０内に取り入れる。浄化給気ユニットケーシング４０内に入ってきた空気は、ヒータ組立体４２へと導入される。そして、ヒータ組立体４２により加熱された空気は、吸着ロータ４１の左側の略半分の部分を通過して、不要ガス成分排出用ファン４６を介して空気吹出し口４０ａを通って室外機３の前方へと排出される。吸着ロータ４１に吸着した不要ガス成分は、ヒータ組立体４２からの熱により加熱された熱触媒により分解されて無害化される。そして、無害化された不要ガス成分は、吸着ロータ４１から離脱する。このため、吸着ロータ４１に吸着された不要ガス成分は、室外から取り入れられた空気が吸着ロータ４１の左側の略半分の部分を通過する際に、空気中へと離脱される。そして、離脱された不要ガス成分は、不要ガス成分排出用ファン４６によって生成される空気流にのって機外へと排出される。
【００４８】
このように、室外から取り込まれた空気は、空気取込み口４０ｂ、ヒータ組立体４２、吸着ロータ４１、不要ガス成分排出用ファン４６及び空気吹出し口４０ａを通る不要ガス成分排出経路Ｒ２により、再び室外へと排出される。そして、これに伴って、室内へと送られる空気から吸着された不要ガス成分が、吸着ロータから離脱されて室外へと排出される。
【００４９】
〔排気運転時の動作〕
排気運転を行うときには、上記の切換ダンパ４４は、第２状態に切り換えられる。
ラジアルファン組立体４３が駆動されると、室内機２から取り込まれた室内の空気が、給排気ホース６から切換ダンパ４４の内部を通ってラジアルファン組立体４３へと到る。ラジアルファン組立体４３へと到った空気は、再び切換ダンパ４４の内部を通って、吸着ロータ４１の右側の略半分の部分を通過し、給排気口４０ｃから室外へと排出される。
【００５０】
このように室内機２から取り込まれた室内の空気は、給排気経路Ｒ１を浄化給気運転時とは逆向きに通過し、浄化給気ユニット４から室外へと排出される。
なお、空気調和機１の運転停止時には、制御部１００は切換ダンパ４４を第３状態とする。第３状態では、上述したように切換ダンパ４４と給排気ホース６とを繋ぐ経路が閉じられ、室内と室外とが連通しない状態となる。
【００５１】
＜特徴＞
（１）
この空気調和機１の浄化給気ユニット４は吸着ロータ４１を備えており、室外から取り込まれた空気は、含有するＮＯｘ、ＳＯｘ、他の臭気成分等の不要ガス成分を吸着ロータ４１によって除去されてから室内へと送られる。そして、この吸着ロータ４１は、疎水性ゼオライトから焼成されている。疎水性ゼオライトは、水となじみにくい性質を有するため、空気中に含まれる水分よりも不要ガス成分を優先的に吸着することができる。従って、この浄化給気ユニット４の吸着ロータ４１は、不要ガス成分を吸着する能力が特に高い。例えば、加湿ユニット等に設けられるような水分を吸着する機能を兼ねる吸着ロータは、空気中に含まれる水分を主として吸着してしまう。一方、この浄化給気ユニット４の吸着ロータ４１では、不要ガス成分が主として吸着される。このため、この吸着ロータ４１は、より多くの不要ガス成分を室内へと送られる空気から除去することができる。これにより、この空気調和機１の浄化給気ユニット４では、十分に清浄化された空気を室内へと送ることができる。すなわち、この空気調和機１の浄化給気ユニット４は、空気の浄化に特化されており、加湿等の他の機能と平行して清浄化を行うユニットでは除去しきれない不要ガス成分を十分に除去することができる。
【００５２】
また、この空気調和機１の浄化給気ユニット４では、室内へと送られる空気から除去された不要ガス成分は熱触媒により無害化されて室外へと排出されるが、不要ガス成分が熱触媒によっても完全には分解できない場合でも、不要ガス成分は、室内へと送られる空気から吸着され室外へと戻される。このため、分解されなかった不要ガス成分が室内へと持ち込まれることが防止されている。
【００５３】
（２）
この空気調和機１の浄化給気ユニット４では、上述したように、吸着ロータ４１の各部分が給排気経路Ｒ１と不要ガス成分排出経路Ｒ２とを行き来することにより、不要ガス成分の吸着と離脱とを自動的に繰り返し行うことができる。このため、吸着ロータ４１に吸着された不要ガス成分の洗浄を自動的に行うことができる。これにより、この空気調和機１の浄化給気ユニット４では、吸着ロータ４１の洗浄や交換等のメンテナンスの労力が軽減される。
【００５４】
（３）
この空気調和機１の浄化給気ユニット４では、吸着ロータ４１は、不要ガス成分を分解する熱触媒を有する。このため、吸着ロータ４１に吸着された不要ガス成分を熱触媒により分解して無害化することができる。例えば、排気ガス等に多く含まれるＮＯｘ等の有害化学成分を無害化したり、悪臭の原因となる臭気成分を分解して無臭化したりすることができる。これにより、この空気調和機１の浄化給気ユニット４では、室内へと送られる空気から除去された不要ガス成分を無害化して室外へと排出することができる。
【００５５】
また、吸着ロータ４１は、ロータ駆動モータ４７により回転するため、ヒータ組立体４２により加熱される面積が一定となる。このため、吸着ロータ４１に含まれる熱触媒による熱分解効率が向上する。
（４）
この空気調和機１の浄化給気ユニット４では、集塵フィルタ４５により室内へと送られる空気から塵等を取り除くことができる。このため、塵等も除去されたより清浄な空気を室内へと送ることができる。
【００５６】
そして、この空気調和機１の浄化給気ユニット４は、超音波振動子１０３により集塵フィルタ４５に超音波振動を加えることができる。このため、集塵フィルタ４５に溜まっていく塵等を集塵フィルタ４５から振るい落として、集塵フィルタ４５の洗浄を自動的に行うことができる。これにより、この空気調和機１の浄化給気ユニット４では、集塵フィルタ４５の洗浄や交換等のメンテナンスの労力が低減する。
【００５７】
また、この空気調和機１の浄化給気ユニット４では、集塵フィルタ４５に加えられる振動は、超音波振動である。このため、この空気調和機１の浄化給気ユニット４では、超音波の周波数より低い周波数の通常の振動が加えられるよりも集塵フィルタ４５に付着した塵等をよりよく振るい落とすことができる。これにより、この空気調和機１の浄化給気ユニット４は、集塵フィルタ４５の洗浄の能力が高くなっている。
【００５８】
（５）
この空気調和機１の室外機３は、室内の冷暖房を行うための室外空調ユニット５と、浄化給気ユニット４とを備える。このため、室外空調ユニット５により室内の冷暖房を行うと共に、浄化給気ユニットにより室内空気の清浄化を行うことができる。
【００５９】
（６）
室内機２は、居住者がいる室内に配置されるため室外機３よりも小型化の要請が強い。
この空気調和機１では、浄化給気ユニット４は室外機３に設けられている。このため、室内機２に浄化給気機能を持たせる場合と比べて、室内機２が小型化している。
【００６０】
＜他の実施形態＞
（１）
上記の実施形態では、不要ガス成分を分解する触媒として熱触媒が利用されているが、不要ガス成分を分解する触媒は熱触媒に限らず、光触媒等の他の触媒であってもよい。
【００６１】
（２）
上記の実施形態では、吸着ロータ４１は疎水性ゼオライトにより構成されているが、吸着ロータ４１を構成する材料は、疎水性ゼオライトに限らず活性炭であってもよい。活性炭も疎水性ゼオライトと同様に優れた不要ガス成分吸着能を有しており、多くの不要ガス成分を空気から除去することができる。また、不要ガス成分の吸着能力の高い活性炭以外の吸着剤が用いられてもよい。
【００６２】
（３）
上記の実施形態では、集塵ユニット４５から離れた位置に超音波振動子１０３が配置されているが、図６に示すように、集塵ユニット４５に接するように超音波振動子１０３を取り付けてもよい。この場合も同様に、集塵ユニット４５に溜まっていく塵等を振るい落とすことができる。これらの配置は、各構成部品の配置や大きさ、超音波振動子の出力等に応じて適したものを選べばよい。
【００６３】
また、超音波振動子１０３に代えて、超音波の周波数より低い周波数で振動する振動子が設けられてもよい。この場合、塵等を振るい落とす能力は超音波振動子１０３よりも若干劣るが、超音波振動子１０３が設けられる場合よりもコストを低減することができる。
（４）
上記の空気調和機１では、給気ユニット４が室外機３に備えられているが、給気ユニット４の配置はこれに限られるものではない。例えば、給気ユニット４が室内機２に備えられてもよい。
【００６４】
（５）
上記の実施形態では、給気ユニット４は室外空調ユニット５と一体となって室外機３を構成しているが、給気ユニット４が室外空調ユニット５と別体になっていてもよい。例えば、図７に示すように、給気ユニット４が配置されていてもよい。ここでは、給気ユニット４が、室外空調ユニット５と別体となっている。そして、室内機２は壁２００の室内側に取り付けられており、給気ユニット４は、室内機２と壁２００を挟んで壁２００の室外側に取り付けられている。
【００６５】
【発明の効果】
請求項１に記載の空気調和機の給気ユニットは、室外から取り込まれた空気に含まれる不要ガス成分を吸着させるための不要ガス成分吸着部材を備えており、室内へと送られる空気は、この不要ガス成分吸着部材に通される。このため、例えば、空気の加湿を行うために加湿ロータに不要ガス成分を分解する触媒を担持させる場合よりも、より多くの不要ガス成分を室内へと送られる空気から除去することができる。これにより、この空気調和機の給気ユニットでは、十分に清浄化された空気を室内へと送ることができる。
【００６６】
請求項２に記載の空気調和機の給気ユニットでは、加熱部が不要ガス成分吸着部材を加熱することにより、不要ガス成分吸着部材は、吸着した不要ガス成分を離脱する。このため、不要ガス成分吸着部材を加熱することにより自動的に不要ガス成分吸着部材から不要ガス成分を取り除くことができる。これにより、この空気調和機の給気ユニットでは、不要ガス成分吸着部材の取り換えや洗浄等のメンテナンスの労力を軽減することができる。
【００６７】
請求項３に記載の空気調和機の給気ユニットでは、不要ガス成分吸着部材の各部分が給気経路と排気経路とを行き来するように不要ガス成分吸着部材が回転することができる。このため、この空気調和機の給気ユニットは、不要ガス成分吸着部材のうち給気経路中にある部分によって空気中の不要ガス成分を吸着させると共に不要ガス成分吸着部材のうち排気経路中にある部分によって吸着した不要ガス成分を離脱させることができる。そして、不要ガス成分吸着部材が回転することにより、排気経路中にあった部分と給気経路中にあった部分とが入れ替わることができる。排気経路中にあった部分と給気経路中にあった部分とが入れ替わると、新たに給気経路中に来た部分に不要ガス成分が吸着され、新たに排気経路中に来た部分から不要ガス成分が離脱される。このように、この空気調和機の給気ユニットでは、不要ガス成分吸着部材を回転させることにより、不要ガス成分の吸着と離脱とを行うことができる。これにより、この空気調和機の給気ユニットでは、不要ガス成分吸着部材の取り換えや洗浄などのメンテナンスの労力を軽減することができる。
【００６８】
請求項４に記載の空気調和機の給気ユニットでは、不要ガス成分吸着部材は、不要ガス成分を分解する触媒を有する。このため、不要ガス成分吸着部材に吸着された不要ガス成分を触媒により分解することができる。これにより、この空気調和機の給気ユニットでは、離脱される不要ガス成分の有害性を低減することができる。
【００６９】
請求項５に記載の空気調和機の給気ユニットでは、集塵フィルタにより室内へと送られる空気から塵埃を取り除いて空気の清浄度をより向上させることができる。そして、加振部により集塵フィルタを振動させることにより、集塵フィルタに付着した塵を振るい落とすことができる。これにより、この空気調和機の給気ユニットでは、集塵フィルタのメンテナンスの労力を低減することができる。
【００７０】
請求項６に記載の空気調和機の給気ユニットでは、超音波振動子により集塵フィルタに超音波振動を加えることができる。このため、この空気調和機の給気ユニットでは、集塵フィルタに付着した塵埃を振るい落とす能力をより向上させることができる。
請求項７に記載の空気調和機の給気ユニットでは、疎水性ゼオライトにより不要ガス成分を吸着させることができる。疎水性ゼオライトは、水となじみにくい性質を有するため、空気中に含まれる水分よりも不要ガス成分を優先的に吸着することができる。このため、この空気調和機の給気ユニットでは、より多くの不要ガス成分を空気から除去することができる。これにより、この空気調和機の給気ユニットでは、空気の清浄化をより十分に行うことができる。
【００７１】
請求項８に記載の空気調和機の給気ユニットでは、活性炭により不要ガス成分を吸着させることができる。活性炭は、優れた吸着能を有しており、より多くの不要ガス成分を空気から除去することができる。これにより、この空気調和機の給気ユニットでは、空気の清浄化をより十分に行うことができる。
請求項９に記載の空気調和機の室外機では、室内の冷暖房を行うための室外空調ユニットと、給気ユニットとを備える。このため、冷暖房を行うための室外空調ユニットにより室内の冷暖房を行うと共に、給気ユニットにより十分に清浄化された空気を室内へと送ることもできる。また、給気ユニットが室外機に設けられるため、室内に配置される空気調和機の室内機を小型化することができる。
【００７２】
請求項１０に記載の空気調和機の室外機では、室外機空気経路と給気経路とは別に設けられている。このため、室外熱交換器を通る空気流とは別に室外の空気を取り込んで室内へと送ることができる。
【図面の簡単な説明】
【図１】空気調和機の外観図。
【図２】空気調和機の冷媒回路の概略構成及び空気流れを示す図。
【図３】超音波振動子の配置を示す図。
【図４】（ａ）吸着ロータの動作を示す図（不要ガス成分を吸着している状態）。
（ｂ）吸着ロータの動作を示す図（不要ガス成分を離脱している状態）。
【図５】制御ブロック図。
【図６】他の実施形態にかかる超音波振動子の配置を示す図。
【図７】他の実施形態にかかる給気ユニットの配置を示す図。
【符号の説明】
１　　　　　空気調和機
３　　　　　室外機
４　　　　　浄化給気ユニット（給気ユニット）
５　　　　　室外空調ユニット
２４　　　　室外熱交換器
２９　　　　プロペラファン（室外送風装置）
４１　　　　吸着ロータ（不要ガス成分吸着部材）
４２　　　　ヒータ組立体（加熱部）
４３　　　　ラジアルファン組立体（送風装置）
４５　　　　集塵フィルタ
４７　　　　ロータ駆動モータ（駆動部）
１０３　　　超音波振動子（加振部）
Ｒ１　　　　給排気経路
Ｒ２　　　　不要ガス成分排出経路（排気経路）
Ｒ３　　　　室外機空気経路
【図１】
2004125274.tif 000003
【図２】
2004125274.tif 000004
【図３】
2004125274.tif 000005
【図４】
2004125274.tif 000006
【図５】
2004125274.tif 000007
【図６】
2004125274.tif 000008
【図７】
2004125274.tif 000009